(57)【要約】取引方法であって、注文により取引者の製品又はサービスを注文者が注文することができる仕組みを取引者が設立するステップと、注文に応じて製品又はサービスを届けるステップと、該製品又はサービスの配達と、及び該注文を受け取った人のイメージを撮影するステップと、配達の確認との方法として、該イメージのコピーを該注文者へ伝達するステップとからなる取引方法。【選択図】図１
2005504400.tif 000002
【特許請求の範囲】
【請求項１】
（ａ）取引者が、注文者による該取引者の製品又はサービスの注文を受けることができる仕組みを設立するステップと、
（ｂ）注文に応じて製品又はサービスを届けるステップと、
（ｃ）該製品又はサービスの配達と、及び該注文を受け取った人のイメージを撮影するステップと、
（ｄ）配達の確認方法として、該イメージのコピーを該注文者へ伝達するステップ、
とからなる取引方法。
【請求項２】
該取引者の製品又はサービスを注文するための仕組みが全国的又は世界的なコンピューターネットワークを利用している、請求項１に記載の方法。
【請求項３】
該イメージはデジタル写真である、請求項１に記載の方法。
【請求項４】
該イメージはビデオイメージである、請求項１に記載の方法。
【請求項５】
該イメージは該注文者へ伝達可能か、又はパスワードの入力に従って集中化されたサーバー上で利用可能である、請求項１に記載の方法。
【請求項６】
該イメージ又は動画の追加のハードコピーが、該注文者又は該注文を受け取っている人へ供給される、請求項１の方法。
【請求項７】
移動電話が該イメージを受け取るために利用される、請求項１に記載の方法。
【請求項８】
電気的な方法で伝達されたイメージを受け取り及び解読することができる他の装置が、該イメージを受け取るために利用される、請求項１に記載の方法。
【請求項９】
該イメージのコピーは、瞬時に注文者へ伝達される、請求項１に記載の方法。
【請求項１０】
該イメージは、該注文者がアクセスするための国内又は世界的なコンピューターネットワーク上へローディングするために該取引者へ伝達される、請求項１に記載の方法。
【発明の詳細な説明】
【技術分野】
【０００１】
本発明は、デジタル受領検証システムを利用する取引方法に関し、特に、デジタル受領検証システムが商品又はサービスを売っている取引者により使用され、そしてそれらの商品又はサービスの受領が確認される取引方法を提供するものである。
【背景技術】
【０００２】
世界的なコンピューターネットワーク又はインターネットは、比較的低コストでメッセージやイメージの迅速な伝達手段を提供してきた。
【０００３】
インターネットは、それが成立してから２０年の中で大きく変化してきた。それは時間分割方式の時代の中で考えられたが、パーソナルコンピューター、クライアントサーバー及び仲間同士を繋ぐコンピューター、そしてネットワークコンピューターの時代に生き残ってきた。それはローカルエリアネットワークが存在する以前に設計されたものであるが、新しいネットワーク技術、それに最近のＡＴＭおよびフレームへスイッチしたサービスへ適応されてきた。
【０００４】
それはファイル分割およびリモートログインから蓄積分割及び協調までの範囲の機能をサポートするものとして構想されており、そして電子メールやより最近ではワールドワイドウェブを大量に生み出してきた。
【０００５】
しかしながら最も重要なことは、それは検索専用の小さな帯域の創作として始まり、そして年間数十億ドルの投資で商業的成功にまで成長してきたことである。
【０００６】
インターネットはまだ変革の終りを遂げていない。インターネットは、名称および地理的にネットワークであるが、コンピューターの創作物であって、伝統的な電話又はテレビジョン産業のネットワークではない。それはそしてコンピューター産業スピードで変化し発達し続けるであろう。
【０００７】
今や、それはリアルタイムで伝送するような新しいサービス、例えばオーディオやビデオ送信をサポートを提供するために変革している。
【０００８】
ポータブル形式の強力で手頃な計算や伝達（すなわち、ラップトップコンピューター、双方向携帯用無線機、ＰＤＡｓ、セルラーフォン）と共に普及しつつあるネットワーク（インターネット）の利用可能性は、移動計算や通信の新しい変形を可能にしている。
【０００９】
この発達は新しい応用−インターネット電話や、少し外れるがインターネットテレビをもたらすであろう。それはもっと洗練された形式の価格設定およびコスト回収を許容するように進化している。それはブロードバンド住宅アクセスから衛星まで、異なる特徴および要求を持つ基となるネットワーク技術の他の世代に適応するように変革している。
【００１０】
新しい接続モデルと新しい方式のサービス、ネット自身のさらなる進歩を促進する新しい応用を生み出すであろう。
【００１１】
デジタルカメラは、今や写真を撮影する手段としてポピュラーになっている。デジタルカメラはよく知られており、そして静止画像又は動画フィルムを撮影したり、イメージや音を電気的でかつ転送可能な形式で蓄積することができる。
【００１２】
また、単一のユニットの中に移動電話と組合わせたデジタルカメラの最新のタイプも知られている。一つのそのようなユニットはシーメンスによって作られ、そしてビジネス通信のためのパーソナルオーガナイザーと移動電話の組合わせである。マイクロリフトポケットＰＣオペレーティングシステムに基づいて、集積ＧＳＭ電話を備えたユニットは、移動音声およびデータベース通信の標準を変革している。
【００１３】
このユニットは、一つの小型装置において、例えばＥメール又は短いメッセージサービスの送信及び受信を許容するパーソナルオーガナイザーと移動電話の機能の統合をもたらす。
【００１４】
またこのユニットは、インストールすることができ、そして基板上のメモリーで作動することができる何千もの応用へドアを開くサーバーから直接アプリケーションソフトウェアのダウンロードおよび記憶を可能にする。
【００１５】
ステレオヘッドセットを使用し、ユーザーは、タッチスクリーンを使用する統合された電話機ブックマネジャーを介して電話の全機能へのアクセスを有する。６５，０００色以上を表示する能力があるバックライト付ＴＦＴ画面をもって、このユニットは、脱着可能でかつ有用な表示画面を有する。この明瞭さは、電子ブック、静止イメージの表示及びゲームのようなアプリケーションを明瞭に見ることができることを確実にする。
【００１６】
このユニットのＧＳＭ能力は、装置のワイヤレスアプリケーションプロトコル（ＷＡＰ）ブラウザ経由、又はソフトウエアパッケージと共に供給されるＨＴＴＰブラウザのいずれかを介してインターネットへ実用的な移動アクセスを意味する。ＷＡＰ及びインターネットサイトへのアクセスに加えて、このユニットはＨＴＴＰブラウザを介して会社のローカルエリアネットワーク又はイントラネットへのリモートアクセスを提供するように設定することができる。
【００１７】
写真や回復されたイメージは、コンピューターを介して送信することができる。
【００１８】
現今、個人又は会社へ配達がなされる時、受取人はその配達を確認したことを認めるためにある記載形式にサインを求められる。送り主には配達の通知をすることができるかもしれないが、通常は通知はされない。
【００１９】
より新しい又はより進歩した配達業者においては、送り主はウエブサイトにログオンして確認のために彼らの受領書ナンバーチェックすることにより配達がなされたか否かをチェックすることができる。このタイプの確認は、通常、商品を配達した配達スタッフメンバーの帰社時、管理スタッフにより完了されるチェックボックスである。
【００２０】
配達は、電話、インターネット又はワールドワイドコンピューターネットワーク上のオンラインにより、又は注文書の郵送によってなされた注文に従って行われる。
【００２１】
一般にある人が他の人のために贈り物を購入する時は、受取人への時機を得たその配達の問題は、後で送り主が受け取り人と接触することによってのみ確認される事項である。
【発明の開示】
【発明が解決しようとする課題】
【００２２】
本発明の目的は、特に、写真イメージを使用することによって商品又はサービスの配達が確認される、インターネット設備を用いた取引方法を提供することである。
【００２３】
本発明のさらなる目的及び利点は、例示のために提供される以後の記述により明確になるであろう。
【課題を解決するための手段】
【００２４】
本発明の広い形によれば、
（ａ）取引者が、注文者による該取引者の製品又はサービスの注文を受けることができる仕組みを設立するステップと、
（ｂ）注文に応じて製品又はサービスを届けるステップと、
（ｃ）該製品又はサービスの配達と、及び該注文を受け取った人のイメージを撮影するステップと、そして
（ｄ）配達の確認方法により、該イメージのコピーを該注文者へ伝達するステップ、
とからなる取引方法が提供される。
【００２５】
本発明方法の一例は、以下のようであろう。個人又は会社は、取引者に何らかの製品又はサービスを注文する。取引者は、世界中のどの地域又は国の中に所在してもよく、そして商品又はサービスの送り主は他の地域又は国に居てもよい。
【００２６】
一般に、送り主は意図した目的地に商品又はサービスを提供しているビジネスから商品を注文することができる。
【００２７】
その注文は、送り主から取引者へどの方法でも伝達することができる。そのような注文の仕組みの例としては、電話によったり、本人であったり、郵便による注文であったり、又はインターネットを経由したりすることができる。インターネットは、注文する時、一般に最も迅速な方法であり、そしてそのうえ多数の異なる方法の瞬時の支払いの活用を可能にするため、付加的な機能を提供する。
【００２８】
注文が商品又はサービスの意図した受取人へ配達された時、配達及び／又は受取人のデジタルイメージがデジタル記録装置を使用して取られる。デジタル記録装置の好ましい形は静的又は動的イメージを取ることができるデジタルカメラでよい。また、デジタル記録装置は、音声を取り込むことができるものでもよい。
【００２９】
その後このデーターは、あとでコンピューターネットワーク上へコピーするためにコンピューターディスクの上に蓄積されるか、又は、もし能力が許すなら、即座に送信することができる。通常は、データーはコンピューターネットワーク上へローディングするために取引者へ返還とされるであろう。データーの送信が直ぐでなかった場合、短いメッセージサービスによる伝言（ＳＭＳ）又は電子メールによる伝言が、注文の配達／受け取りを確認するために注文者へ送られてもよい。
【００３０】
一旦データーが取引者へ返還されると、取引者はデーターをインターネット、又は特定のサイトにおける他の国内又は世界的なコンピューターネットワーク上へロードすることができる。このサイトは、注文者が支払い又は注文した時に注文者へ与えられたパスワードを入力することによりアクセス可能にすることができる。
【００３１】
その後注文者は特定のサイトを訪れて、与えられたパスワードを入力し、そして配達の静止イメージや動画のデーターを見ることができる。
【００３２】
この方法の利益は、本質的に商業的又は個人的であり得る。商業的な利益の例としては、取引者はその場で、特定のサイト上で商品又はサービスの取引者及び／又は製造者に宣伝・ 販売促進を見せることの合意を持つことができることである。これは、価値を増すことができる。
【００３３】
イメージ又は動画からの静止イメージは、閲覧者の負担でプリントアウトすることができる。これは、閲覧者による負担の増大を許容し得る。また、本方法は、品質管理を向上させ、コストを低減し、かつ取引者に対する問題を減らすことができる配達の確認を可能にする。本方法のユーザーに対する利益の例としては、ユーザーは配達がなされたと確信させることを可能にし、そしてまた、注文者は注文した商品又はサービスの受取人の反応を見ることを可能にする。これは、特に贈り物を届ける場合に有用であり得る。
【００３４】
取引者は商品又はサービスの配達者として同じであってもよく、又は彼らは両方とも取引者と称される実在者であってもよい。この場合、一方の取引者は配達会社であって、そして他方は彼らの商品又はサービスが配達されるべき会社であってよい。
【００３５】
本方法は、注文者、受取人、配達会社及びその商品又はサービスが購入された取引者により確認された配達の検証を可能にする。
【００３６】
取引者の製品又はサービスを注文することができる仕組みは、好ましくはインターネット、又は国内又は世界的なコンピューターネットワークを経由してもよい。本発明は特に注文の受け取り検証に向けられており、必ずしも商品又はサービスの注文へ向けられていないので、本方法は注文の他の如何なる仕組みに対しても等しく適用することができる。
【００３７】
本発明のさらなる面に従うと、イメージはデジタル写真であってもよい。
【００３８】
さらに、本発明のさらなる面に従うと、イメージはビデオイメージであってもよい。
【００３９】
イメージは注文者へ伝達することができてもよいし、又はパスワード入力を条件として集中化されたサーバー上で利用できてもよい。インターネット、又は国内又は世界的なコンピューターネットワークは、好ましくは本方法のユーザーが配達の時に受取人を身近に感じることを可能にするリンクであってもよい。
【００４０】
イメージ又は動画のハードコピーは、好ましくは本方法のユーザーへ供給し得る。このハードコピーはペーパー方式又は写真の形式をとってもよいし、そして、また、テープ、コンパクトディスク又はコンピューターディスクのような電子的にアクセス可能な記録装置の形式をとってもよい。
【００４１】
さらに、上述されたユニットのような移動電話は、配達の確認又はイメージを受け取るために使用することができる。また、使用できるパーソナルオーガナイザーのような、送信されたイメージを受け取りそして解読する能力を有する他の装置でも良い。
【００４２】
このようにしてイメージをコンピューターディスクを物理的に取扱うことなしに伝達することができる。
【発明を実施するための最良の形態】
【００４３】
今や本発明の形態は、本発明による取引方法の概略的なダイヤグラムである図１を参照して記載されるであろう。
【００４４】
図面については、本発明は取引者１が彼の製品又はサービスをそこから注文することがインターネットサイトを確立することを含む取引方法を提供する。
【００４５】
取引者１が注文を受け取り、そして準備をした後、注文の配達がなされる。注文の配達時に、配達人は商品又はサービスを受け取っている受取人のデジタル写真又は動画を撮影する。もし、配達が贈り物であるなら、配達人はありがとうというメッセージ等を記録してもよい。
【００４６】
取引者は、写真イメージを写真から注文者のコンピューター２へ直接又は取引者を経由して注文者へ転送する。
【００４７】
本発明の方法論は、性格上個人又は組織に商品又はサービスの配達を通知するための効率のよい手段を提供し、そして、特に地域的及び国際的の両方で好機を記録するためにプレゼントや花束のような贈り物を配達及び受け取りのグループ又は個人を満足させる方法を形成する。
【００４８】
注文を出した人は、その後友人及び親族又は他のかかわりを持つ人達へ写真の受取りを送る機会を持つであろう。
【００４９】
本発明の形態は単に例示として記載したが、その精神及び範囲から外れることなしに修飾および付加をなし得ることが認識されるであろう。
【図面の簡単な説明】
【００５０】
【図１】本発明による取引方法のダイヤグラム概略図を示す。
【図１】
2005504400.tif 000003
【国際公開パンフレット】
2005504400.tif 000004
2005504400.tif 000005
2005504400.tif 000006
2005504400.tif 000007
2005504400.tif 000008
2005504400.tif 000009
2005504400.tif 000010
2005504400.tif 000011
2005504400.tif 000012
【国際調査報告】
2005504400.tif 000013
2005504400.tif 000014